(57)【要約】【目的】本発明は、血統表上に父系列、母系列、父母系列、ファミリナンバー、クロス情報のアイコンを設けて、選択されたアイコンに対応する血統表上の馬名とその情報を強調表示、馬名とその情報以外を背景として見やすくしたり、ファミリーナンバー表を作成して見やすく表示したり、クロス情報表を作成して見やすく表示することを目的としている。【構成】  指定された馬情報を起点にその父、母を順次指定された世代数まで抽出するステップと、抽出された情報をもとに対象の馬情報を起点に順次父、母の情報を指定された世代数まで表示した血統表を作成して表示すると共に、父系列、母系列、父母系列のアイコンを表示するステップと、アイコンが選択されたときに、選択されたアイコンに対応する父系列、母系列、父母系列の馬情報のみを強調表示などするステップとを有する。【選択図】        図１
2005304308.tif 000002
【特許請求の範囲】
【請求項１】
血統表を表示する血統情報表示方法において、
表示する対象の馬情報および表示する世代数の指定に対応して、データベースから指定された馬情報を起点にその父、母を順次指定された世代数まで抽出するステップと、
前記抽出された情報をもとに画面上に指定された対象の馬情報を起点に順次父、母の情報を指定された世代数まで表示した血統表を作成して表示すると共に、父系列あるいは母系列あるいは父母系列のアイコンを表示するステップと、
前記アイコンのいずれかが選択されたときに、前記対象とする馬情報を起点に、選択されたアイコンに対応する父系列あるいは母系列あるいは父母系列の馬情報のみを強調表示あるいは表示、または他を背景色で表示して見やすくするステップと
を有する血統情報表示方法。
【請求項２】
前記アイコンとして、更にクロス情報表示のアイコンを表示して当該アイコンが選択されたときに、あるいは、別途、クロス情報表示が指示されたときに、前記対象の馬情報に対するクロス情報を抽出して父系列、母系列、および父母系列のいずれか１つ以上のクロス情報を表示することを特徴とする請求項１記載の血統情報表示方法。
【請求項３】
血統表を表示する血統情報表示システムにおいて、
表示する対象の馬情報および表示する世代数の指定に対応して、データベースから指定された馬情報を起点にその父、母を順次指定された世代数まで抽出する手段と、
前記抽出された情報をもとに画面上に指定された対象の馬情報を起点に順次父、母の情報を指定された世代数まで表示した血統表を作成して表示すると共に、父系列あるいは母系列あるいは父母系列のアイコンを表示する手段と、
前記アイコンのいずれかが選択されたときに、前記対象とする馬情報を起点に、選択されたアイコンに対応する父系列あるいは母系列あるいは父母系列の馬情報のみを強調表示あるいは表示、または他を背景色で表示して見やすくする手段と
を備えたことを特徴とする血統情報表示システム。
【請求項４】
血統表を端末の画面上に表示させる血統情報表示装置において、
前記端末から表示する対象の馬情報および表示する世代数の指定を受信したことに対応して、データベースから指定された馬情報を起点にその父、母を順次指定された世代数まで抽出する手段と、
前記抽出された情報をもとに、画面上に指定された対象の馬情報を起点に順次父、母の情報を指定された世代数まで表示した血統表を作成して前記端末に送信して画面上に表示させると共に、父系列あるいは母系列あるいは父母系列のアイコンを画面上に合わせて表示させる手段と、
前記アイコンのいずれかが選択された旨を前記端末から受信したときに、前記対象とする馬情報を起点に、選択されたアイコンに対応する父系列あるいは母系列あるいは父母系列の馬情報のみを強調表示あるいは表示、または他を背景色で表示させて見やすくさせる手段と
を備えたことを特徴とする血統情報表示装置。
【請求項５】
血統表を表示する血統情報表示プログラムにおいて、
コンピュータに、
表示する対象の馬情報および表示する世代数の指定に対応して、データベースから指定された馬情報を起点にその父、母を順次指定された世代数まで抽出するステップと、
前記抽出された情報をもとに画面上に指定された対象の馬情報を起点に順次父、母の情報を指定された世代数まで表示した血統表を作成して表示すると共に、父系列あるいは母系列あるいは父母系列のアイコンを表示するステップと、
前記アイコンのいずれかが選択されたときに、前記対象とする馬情報を起点に、選択されたアイコンに対応する父系列あるいは母系列あるいは父母系列の馬情報のみを強調表示あるいは表示、または他を背景色で表示して見やすくするステップと
して動作させるための血統情報表示プログラム。
【発明の詳細な説明】
【技術分野】
【０００１】
本発明は、血統表を表示する血統情報表示方法、血統情報表示システム、血統情報表示装置、および血統情報表示プログラムに関するものである。
【背景技術】
【０００２】
従来、競馬馬の血統表として図１３に示すように、対象馬を左端の欄に書き、その右側の欄を２つに分割して上欄に父の馬名、下欄に母の馬名を書くことを順次所定世代、例えば５世代まで書くことで血統表を表していた（特許文献１）。また、ファミリーナンバー（血統表中で例えば母が連続するグループの番号），クロス情報（血統表中で父あるいは母が同じとなる情報）を文字列で記載していた。
【特許文献１】特開２００３−９２９４３号公報
【発明の開示】
【発明が解決しようとする課題】
【０００３】
上述したように、従来は、対象馬を左端の欄に書き、その右側の欄を２つに分割して上欄に父の馬名、下欄に母の馬名を書くことを順次所定世代、例えば５世代まで書くことで血統表を表していたため、サイアーライン（父系列のみの血統表）、ファミリーライン（母系列のみの血統表）、ブルードメアサイアライン（父母系列の血統表）として見たい場合には、図１の血統表中の左端の対象馬から父系列の血統、母系列の血統、あるいは父母系列の血統というように、見る人がこれらいずれかを認識して血統を見る必要があり、なれないと見がたいと共にときとして誤って認識してしまうという問題があった。
【０００４】
また、ファミリーナンバーやクロス情報が文字列であり、どのような系統なのかを認識し難いという問題があった。
【課題を解決するための手段】
【０００５】
本発明は、これらの問題を解決するため、血統表上に父系列、母系列、父母系列、ファミリナンバー、クロス情報のアイコンを設けて、選択されたアイコンに対応する血統表上の馬名とその情報を強調表示、馬名とその情報以外を背景として見やすくしたり、ファミリーナンバー表を作成して見やすく表示したり、クロス情報表を作成して見やすく表示したりすることを目的としている。
【発明の効果】
【０００６】
本願発明は、血統表上に父系列、母系列、父母系列、ファミリナンバー、クロス情報のアイコンを設けて、選択されたアイコンに対応する血統表上の馬名とその情報を強調表示、馬名とその情報以外を背景としたり、ファミリーナンバー表を作成して表示したり、クロス情報表を作成して表示したりし、対象馬の情報を見やすくすることが可能となる。
【発明を実施するための最良の形態】
【０００７】
本発明は、血統表上に父系列、母系列、父母系列、ファミリナンバー、クロス情報のアイコンを設けて、選択されたアイコンに対応する血統表上の馬名とその情報を強調表示、馬名とその情報以外を背景としたり、ファミリーナンバー表を作成して表示したり、クロス情報表を作成して表示したりし、対象馬の情報を見やすくすることを実現した。
【実施例１】
【０００８】
図１は、本発明のシステム構成図を示す。
図１において、端末１は、ネットワークを介して血統管理装置２と接続してデータの送受信を行うと共に血統表などを表示する端末（例えば後述する血統情報表示装置）であって、入力手段１１、表示手段１２、ディスプレイ１３、および入力装置１４などから構成されるものである。
【０００９】
入力手段１１は、ディスプレイ１３上に表示した画面上から各種パラメタ（例えば血統表を作成するときの対象馬情報、表示する世代数（例えば５世代）などのパラメタ）を、オペレータに入力させて取り込むものである。
【００１０】
表示手段１２は、ディスプレイ１３上に血統表、クロス情報表、馬系列図、ファミリーナンバー表などを表示するものである。
【００１１】
ディスプレイ１３は、血統表などを表示する表示装置である。
入力装置１４は、各種パラメタなどを入力する入力装置であって、キーボードやマウスなどである。
【００１２】
血統管理装置２は、血統を管理するものであって、ここでは、データ抽出手段２１、血統表作成手段２２、クロス情報作成手段２３、馬系図作成手段２４、ファミリーナンバー表作成手段２５、および馬情報データベース２６などから構成されるものである。
【００１３】
データ抽出手段２１は、指定された対象の馬名、世代数などをもとに馬情報データベース２６を検索して該当する馬情報を抽出するものである。
【００１４】
血統表作成手段２２は、馬情報データベース２６から抽出された親の馬情報をもとに、対象の馬を起点に父、母の指定された世代数までの血統表（図５参照）を作成するものである。
【００１５】
クロス情報作成手段２３は、血統表上でその父系列、母系列、父母系列のうちで同じ馬情報となるいわゆるクロス情報を抽出し、その系列（父系列、母系列、父母系列）のクロス情報をそれぞれ作成するものである（図８参照）。
【００１６】
馬系図作成手段２４は、指定された馬情報に対する指定された先祖の世代数、子系の世代数をもとに、母系の馬情報を馬情報データベース２６から抽出し、抽出した情報をもとに対象の馬情報に対する母系列の先祖の馬情報および子の馬情報を階層的に表示した馬系列を作成するものである（図１０参照）。
【００１７】
ファミリーナンバー表作成手段２５は、指定された馬情報を起点に指定された世代数の父系列、母系列、父母系列の馬情報をもとに、ファミリーグループを囲んでファミリーナンバーを付与したファミリーナンバー表を作成するものである（図１２参照）。
【００１８】
馬情報データベース２６は、馬の父、母、子に関する馬情報を全て登録して管理するデータベースである（図３、図５参照）。
【００１９】
次に、図２のフローチャートの順番に従い、図１の構成もとで、馬情報データベース２６を検索して血統表を作成して端末１のディスプレイ１３上に表示するときの手順を詳細に説明する。ここで、血統情報表示装置１および血統管理装置２は、図１の端末１および血統管理装置２にそれぞれ対応するものである。
【００２０】
図２において、Ｓ１は、対象馬名を入力する。
Ｓ２は、表示用のパラメタを入力する。これは、血統情報表示装置１のディスプレイ１３上に表示した図示外のメニュー画面から、Ｓ１で血統表を作成するときの対象の馬名（例えば”アブクマポーロ”）を入力し、Ｓ２でその表示用のパラメタ（世代数：５）を入力する。
【００２１】
Ｓ３は、データの送信を行う。これは、血統情報表示装置１がネットワークを介して、Ｓ１、Ｓ２で入力されたデータ（対象の馬名および世代数）を血統管理装置２に送信する。
【００２２】
Ｓ４は、馬情報ＤＢから読み出す。これは、Ｓ３で送信されたデータ（対象の馬名および世代数）をもとに、馬情報データベース２６から馬情報を読み出す。
【００２３】
Ｓ５は、親情報を抽出する。
Ｓ６は、指定世代数まで親情報を抽出する。これらＳ４からＳ６は、送信されてきた対象の馬情報を起点に、指定されて世代数まで親（父、母）の馬情報を順次全て抽出する。
【００２４】
Ｓ７は、血統表を作成する。これは、Ｓ６で抽出した対象の馬情報を起点にして後述する公知の図５の血統表を作成する（例えば図５に示すように、対象の馬情報を左端の欄、次の右の欄を２分割し上段の欄に父の馬情報、下段の欄に母の馬情報、同様に、指定された世代数（ここでは、５世代）まで父の馬情報、母の馬情報をそれぞれ位置づけた血統表を作成する）。
【００２５】
Ｓ８は、データの送信を行う。
Ｓ９は、血統表を表示する。これは、Ｓ８で血統表の送信を受けた血統情報表示装置１がディスプレイ１３上に血統表（例えば後述する図５の血統表）を表示する。
【００２６】
Ｓ１０は、ライン選択ボタンを指示する。これは、Ｓ９で表示された例えば図５の血統表を見たオペレータが、ライン（父系列ライン、母系列ライン、父母系列ライン）のいずれか１つのラインをマウスで選択して指示する。
【００２７】
Ｓ１１は、ライン別の血統表を表示する。これは、Ｓ１０で指示されたライン別（父系列、母系列、父母系列のいずれかのライン別）の血統表を表示する。例えば父系列ライン（サイアーライン）が選択された場合には、図５に示すように父系列のラインを強調表示、あるいは図６に示すように、父系列のラインのみの馬情報を抽出して表示し、選択されたラインのみの対象の馬情報に関する馬情報（親情報）を見やすくする。
【００２８】
Ｓ１２は、表示された馬名を指示する。これは、Ｓ１１で表示されたライン別の血統表（図５、図６）あるいは全の血統表（図４）上に表示された馬名を指示し、Ｓ１に戻り、上述したＳ２からＳ１１を繰り返し、指示された馬名を起点に血統表（全、あるいはライン別）を表示する。
【００２９】
以上によって、画面上から対象の馬情報および表示する世代数を指定すると、馬情報データベース２６から対象の馬情報を起点にその父、母の馬情報を指定された世代数まで全て抽出し、血統表を作成して表示することが可能となると共に、ライン（父系列、母系列、父母系列、全）を指定すると指定されたラインの血統表を見やすく表示することが可能となる。更に、血統表で任意の馬情報を指定すると当該馬情報を起点に指定された世代数までの親の馬情報を全て抽出して血統表を繰り返し表示することが可能となる。
【００３０】
図３は、本発明の馬情報データベース例を示す。馬情報データベース２６は、図示の下記の情報を対応づけて登録したものである。
【００３１】
・馬名：
・父馬名：
・母馬名：  
・産駒１：
・産駒２：
・・・
・産駒ｎ：
・ファミリーナンバー：
・その他：
ここで、馬名は対象となる馬名である。父馬名、母馬名は親（父、母）の馬名である。産駒１，２・・・ｎは父馬および母馬の間に生まれた子の馬名である。ファミリーナンバーは母親のグループに付与された一意の番号である（図１２参照）。
【００３２】
図４は、本発明の血統表例を示す。図示の血統表は、既述した図２のフローチャートに従い、馬名”アブクマポーロ”、世代数”５”と指定したときに馬情報データベース２６を検索して親（父、母）の馬情報を全て抽出し、左端の欄に対象の馬情報、次の右側を２分割して上段の欄に父親の馬情報、下段の欄に母親の馬情報というように、５世代まで位置付けて表示した例を示す。また、右上のアイコンとして、
・サイアーライン（父系列ライン）：
・ファミリーライン（母系列ライン）：
・ブルードメアサイアーライン（父母系列ライン）：
・全体表示：
・クロス情報表示：
・馬系図表示：
・ファミリーナンバー表表示：
をそれぞれ表示する。アイコン”サイアーライン（父系列ライン）”がマウスで選択されると、図示の血統表上で対象の馬情報を起点に、父系列ラインの馬情報のみが強調表示（例えば図５に示すように、斜線の部分を異なる色で強調表示、あるいは図６に示すように、父系列ラインのみの馬情報を抽出して表示）し、ライン別の馬情報を見やすく表示するためのものである。同様に、アイコン”ファミリーライン（母系列ライン）”、”ブルードメアサイアーライン（母の父系列ライン）”がマウスで選択されると、母の父系列のラインの馬情報のみを強調表示してこれらラインの馬情報を見やすく表示するためのものである。アイコン”全体表示”は図４に示すように、全体の血統表を表示させるためのアイコンである。アイコン”クロス情報表示”は、対象の馬情報および世代数が指定されたときにその親の馬情報に同一馬情報があったときにその系列を見やすく表示させるためのアイコンである（図７、図８参照）。アイコン”馬系図表示”は、対象の馬情報および世代数が指定されるとその馬系図を表示させるためのアイコンである（図９、図１０参照）。アイコン”ファミリーナンバー表表示”は、対象の馬情報および世代数が指定されると母親情報をグループ化して一意の番号を付与したファミリーナンバー表を作成して表示させるためのアイコンである（図１１、図１２参照）。
【００３３】
尚、アイコンは血統表上に設けて上述した当該アイコンに対応するそれぞれのライン別の血統表などを自動作成して表示したが、別途、プルダウンメニューに上記アイコンに対応するメニューをそれぞれ表示し選択されたライン別の血統表、クロス情報表、馬系図、ファミリーナンバー表などを自動作成して表示させるようにしてもよい。
【００３４】
図５は、血統表例（サイアーライン強調表示）を示す。図示の血統表は、図４の血統表上でアイコン”サイアーライン（父系列ライン）”がマウスで選択されたときに、父系列の馬情報のみを強調表示（斜線の部分の馬情報を異なる色で強調表示）し、父系列の馬情報を見やすくしたものである。
【００３５】
図６は、血統表例（サイアーラインのみ表示）を示す。図示の血統表は、図４の血統表上でアイコン”サイアーライン（父系列ライン）”がマウスで選択されたときに、父系列の馬情報のみを抽出して表示し、父系列の馬情報を見やすくしたものである。
【００３６】
図７は、本発明の動作説明フローチャート（クロス情報）を示す。これは、指定された対象の馬情報および指定された世代数をもとに馬情報データベース２６を検索し、同一の馬情報があったときにこれを抽出して見やすくしたクロス情報を作成して表示するときの手順を示したものである。
【００３７】
図７において、Ｓ２１は、対象馬名を入力する。
Ｓ２２は、クロス情報用のパラメタを入力する。これは、血統情報表示装置１のディスプレイ１３上に表示した図示外のメニュー画面から、Ｓ２１でクロス情報表を作成するときの対象の馬名（例えば”馬１”）を入力し、Ｓ２２でそのクロス情報用のパラメタ（世代数：５）を入力する。
【００３８】
Ｓ２３は、データの送信を行う。これは、血統情報表示装置１がネットワークを介して、Ｓ２１、Ｓ２２で入力されたデータ（クロス情報の対象の馬名および世代数）を血統管理装置２に送信する。
【００３９】
Ｓ２４は、馬情報ＤＢから読み出す。これは、Ｓ２３で送信されたデータ（クロス情報の対象の馬名および世代数）をもとに、馬情報データベース２６から馬情報を読み出す。
【００４０】
Ｓ２５は、親情報を抽出する。
Ｓ２６は、指定世代数まで親情報を抽出する。これらＳ２４からＳ２６は、送信されてきた対象の馬情報を起点に、指定されて世代数まで親（父、母）の馬情報を順次全て抽出する。
【００４１】
Ｓ２７は、同馬名を抽出する。
Ｓ２８は、クロス情報表を作成する。これらＳ２７、Ｓ２８は、Ｓ２６で抽出したクロス情報の対象の馬情報から同一名の馬情報を抽出し、後述する図８の（ａ）に示すように、クロス情報の対象の馬情報を起点に、親が同一名となるまでの親の馬情報のつながり（父系統、母系統、父母系統のつながり）を配置したクロス情報表を作成する。
【００４２】
Ｓ２９は、データの送信を行う。
Ｓ３０は、クロス情報表を表示する。これは、Ｓ２８でクロス情報表の送信を受けた血統情報表示装置１がディスプレイ１３上にクロス情報表（例えば後述する図８のクロス情報表）を表示する。
【００４３】
Ｓ３１は、表示された馬名を指示する。デフォルトでは指示された馬名が入力されている。そして、Ｓ２１で例えば馬名”馬２”、Ｓ２２で世代数”５”を入力すると、Ｓ２３からＳ３０を繰り返し、図８の（ｂ）の馬２のクロス情報表が前面に表示されることとなる。
【００４４】
以上によって、画面上からクロス情報の対象の馬情報および世代数を指定すると、馬情報データベース２６から対象の馬情報を起点にその父、母の馬情報を指定された世代数まで全て抽出し、同一の馬情報を抽出してクロス情報の対象の馬情報から該当馬情報までのつながり（父系列、母系列、父母系列）のクロス情報表を作成して表示すると共に、任意の馬情報が更に指定されるとそのクロス情報表を同様にして作成して表示することが可能となる（図８の（ａ）、（ｂ）参照）。
【００４５】
図８は、本発明のクロス情報表例を示す。
図８の（ａ）は、馬１のクロス情報表例を示す。図示のクロス情報表は、既述した図７のフローチャートに従い、クロス情報の対象の馬情報”馬１”および世代数”５”と入力されたときに、抽出した全ての親の馬情報から同一の馬情報を見つけ、クロス情報の対象の馬情報（馬１）を起点に、同一の馬情報となるまでのつながりの馬情報を、父系列、母系列、父母系列の３種類についてそれぞれ作成したクロス情報表の例である。表中の上段の例えば父系列のクロス情報中の”馬２（名前）”はクロスした馬名である（同一名の馬情報である）。
【００４６】
図８の（ｂ）は、馬１−馬２のクロス情報表例を示す。これは、図８の（ａ）のクロス情報表を表示した状態で、更に、馬１でクロスした”馬２（名前）”を指定し（図７のＳ３１で指定）し、図７のＳ２２からＳ３０に従い、馬２のクロス情報表を作成して前面に表示させた例を示す。
【００４７】
以上のように、馬１および世代数５を指定して該当する全ての親の馬情報を抽出して同一の馬情報を見つけてクロス情報表（父系列、母系列、父母系列のクロス情報表）を作成して表示し、更に、当該クロス情報表でクロスした馬情報を指定してそのクロス情報表を作成して表示し、馬情報のクロス関係（同一名の親の馬情報を持つ関係）を見やすく簡易に抽出して表示することが可能となる。
【００４８】
図９は、本発明の馬系図表示フローチャートを示す。これは、指定された対象の馬情報および指定された世代数をもとに馬情報データベース２６を検索し、馬系図を作成して先祖、子孫を見やすく表示するときの手順を示したものである。
【００４９】
図９において、Ｓ４１は、対象馬名を入力する。
Ｓ４２は、馬系図用のパラメタを入力する。これらＳ４１、Ｓ４２は、血統情報表示装置１のディスプレイ１３上に表示した図示外のメニュー画面から、Ｓ４１で馬系図を作成するときの対象の馬名（例えば”第１シュリリー”）を入力し、Ｓ４２でその馬系図のパラメタ（先祖世代数：１、子孫世代数：３）をそれぞれ入力する。
【００５０】
Ｓ４３は、データの送信を行う。これは、血統情報表示装置１がネットワークを介して、Ｓ４１、Ｓ４２で入力されたデータ（馬系図の対象の馬名および先祖世代数、子孫世代数）を血統管理装置２に送信する。
【００５１】
Ｓ４４は、馬情報ＤＢから入力した馬とその父馬と母馬と産駒情報を読み出す。
Ｓ４５は、親馬と産駒の情報を辿って読み出す。
【００５２】
Ｓ４６は、入力した世代数分になるまで繰り返し読み出す。
Ｓ４７は、読み出した情報を家計図のように親子関係をリンクさせて、馬系図を作成する。これらＳ４４からＳ４７は、指定された馬系図の対象となる馬情報を中心に、指定された先祖世帯数（例えば１世代）および指定された子孫世帯数（例えば３世代）に該当する親（母）に関する馬情報（先祖は対象の馬情報の母の馬情報、子孫は対象の馬情報の母が生んだ子供の馬情報（産駒）を指定された子孫の世帯数までその馬情報を抽出し、馬系図（例えば後述する図１０）を作成する。
【００５３】
Ｓ４８は、データの送信を行う。
Ｓ４９は、馬系図を表示する。これは、Ｓ４８で馬系図の送信を受けた血統情報表示装置１がディスプレイ１３上に馬系図（例えば後述する図１０の馬系図）を表示する。
【００５４】
Ｓ５０は、表示された馬名を指示する。デフォルトでは指示された馬名が入力されている。そして、Ｓ４１で他の馬名（馬情報）を入力、Ｓ４２で先祖世代数、子孫世代数を入力すると、Ｓ４３からＳ４９を繰り返し、他の馬系図を表示させることができる。
【００５５】
以上によって、画面上から馬系図の対象の馬情報および先祖世代数、子孫世代数を指定すると、馬情報データベース２６から対象の馬情報を起点に先祖、子孫についてその母系列の馬情報を指定された世代数まで全て抽出し、馬系図を作成して表示し、先祖、子孫のつながりを見やすく表示することが可能となる（図１０参照）。
【００５６】
図１０は、本発明の馬系図例を示す。図示の馬系図は、既述した図９のフローチャートに従い、馬系図の対象の馬情報、および先祖の世代数１、子孫の世代数３と入力されたときに、抽出した全ての母親の馬情報をもとに馬系図を作成して表示したものである。
【００５７】
図１１は、本発明のファミリーナンバー表表示フローチャートを示す。これは、指定された対象の馬情報および指定された世代数をもとに馬情報データベース２６を検索し、ファミリー（母親の馬情報）をグループ化してその番号（ファミリーナンバー）を付与して見やすく表示するときの手順を示したものである。
【００５８】
図１１において、Ｓ５１は、対象馬名を入力する。
Ｓ５２は、表示用のパラメタを入力する。これは、血統情報表示装置１のディスプレイ１３上に表示した図示外のメニュー画面から、Ｓ５１でファミリーナンバー表示対象の馬名を入力し、Ｓ５２でその表示パラメタ（世代数：５）を入力する。
【００５９】
Ｓ５３は、データの送信を行う。これは、血統情報表示装置１がネットワークを介して、Ｓ５１、Ｓ５２で入力されたデータ（ファミリーナンバー表示対象の馬名および世代数）を血統管理装置２に送信する。
【００６０】
Ｓ５４は、馬情報ＤＢから読み出す。これは、Ｓ５３で送信されたデータ（対象の馬名および世代数）をもとに、馬情報データベース２６から馬情報を読み出す。
【００６１】
Ｓ５５は、親情報を抽出する。
Ｓ５６は、指定世代数まで親情報を抽出する。これらＳ５４からＳ５６は、送信されてきた対象の馬情報を起点に、指定されて世代数まで親（父、母）の馬情報を順次全て抽出する。
【００６２】
Ｓ５７は、ファミリーナンバー表を作成する。これは、Ｓ５６で抽出した馬情報をもとに、後述する図１２に示すように、対象の馬情報を下段に、その母の馬情報を右上、父の馬情報を左上と、順次上方向に指定された世代数分、枝わけして配置し、更に、母の馬情報の世代間を図示の囲んだようにグループ化し、一意の番号（ファミリーナンバー）を図示のように付与したファミリーナンバー表を作成する。
【００６３】
Ｓ５８は、データの送信を行う。
Ｓ５９は、ファミリーナンバー表を表示する。これは、Ｓ５８でファミリーナンバー表の送信を受けた血統情報表示装置１がディスプレイ１３上にファミリーナンバー表（例えば後述する図１２のファミリーナンバー表）を表示する。
【００６４】
Ｓ６０は、表示された馬名を指示する。デフォルトでは指示された馬名が入力されている。そして、Ｓ５１で他の馬名（馬情報）、Ｓ５２で世代数を入力すると、Ｓ５３からＳ５９を繰り返し、他のファミリーナンバー表を作成して表示することができる。
【００６５】
以上によって、画面上からファミリーナンバー表の対象の馬情報および世代数を指定すると、馬情報データベース２６から対象の馬情報を指定された世代数まで全て抽出し、対象の馬情報を起点に、母親を右上、父親を左上に配置することを指定世代まで繰り返し、更に、母親の世代間をグループ化して一意のファミリーナンバーを付与したファミリーナンバー表を自動作成してファミリーナンバーを見やすく表示することが可能となる（図１２参照）。
【００６６】
図１２は、本発明のファミリーナンバー表例を示す。図示のファミリーナンバー表は、既述した図１１のフローチャートに従い、ファミリーナンバーの対象の馬情報および世代数が入力されたときに、抽出した全ての親（父、母）の馬情報について、対象の馬情報を起点に図１２のようにファミリーナンバー表を自動作成して表示することにより、ファミリーナンバーの母親の馬情報のグループを見やすく表示することが可能となる。
（付記１）
【００６７】
血統表を表示する血統情報表示方法において、
表示する対象の馬情報および表示する世代数の指定に対応して、データベースから指定された馬情報を起点にその父、母を順次指定された世代数まで抽出するステップと、
前記抽出された情報をもとに画面上に指定された対象の馬情報を起点に順次父、母の情報を指定された世代数まで表示した血統表を作成して表示すると共に、父系列あるいは母系列あるいは父母系列のアイコンを表示するステップと、
前記アイコンのいずれかが選択されたときに、前記対象とする馬情報を起点に、選択されたアイコンに対応する父系列あるいは母系列あるいは父母系列の馬情報のみを強調表示あるいは表示、または他を背景色で表示して見やすくするステップと
を有する血統情報表示方法。
（付記２）
【００６８】
前記アイコンとして、更にクロス情報表示のアイコンを表示して当該アイコンが選択されたときに、あるいは、別途、クロス情報表示が指示されたときに、前記対象の馬情報に対するクロス情報を抽出して父系列、母系列、および父母系列のいずれか１つ以上のクロス情報を表示することを特徴とする付記１記載の血統情報表示方法。
（付記３）
【００６９】
前記アイコンとして、更にファミリーナンバー表示のアイコンを表示して当該アイコンが選択されたときに、あるいは、別途、ファミリーナンバー表示が指示されたときに、ファミリーグループを囲んでファミリーナンバーを付与したファミリーナンバー表を作成して表示することを特徴とする付記１あるいは付記２記載の血統情報表示方法。
（付記４）
【００７０】
前記アイコンとして、更に馬系図のアイコンを表示して当該アイコンが選択されたときに、あるいは、別途、馬系図の表示が指示されたときに、前記対象の馬情報に対する指定された先祖の世代数、子孫の世代数をもとに、母系の馬情報をデータベースから抽出するステップと、
前記抽出された情報をもとに、対象の馬情報に対する母系列の先祖の馬情報および子の馬情報を階層的に表示した馬系列を作成して表示するステップと
を有する付記１から付記３のいずれかに記載の血統情報表示方法。
（付記５）
【００７１】
血統表を表示する血統情報表示システムにおいて、
表示する対象の馬情報および表示する世代数の指定に対応して、データベースから指定された馬情報を起点にその父、母を順次指定された世代数まで抽出する手段と、
前記抽出された情報をもとに画面上に指定された対象の馬情報を起点に順次父、母の情報を指定された世代数まで表示した血統表を作成して表示すると共に、父系列あるいは母系列あるいは父母系列のアイコンを表示する手段と、
前記アイコンのいずれかが選択されたときに、前記対象とする馬情報を起点に、選択されたアイコンに対応する父系列あるいは母系列あるいは父母系列の馬情報のみを強調表示あるいは表示、または他を背景色で表示して見やすくする手段と
を備えたことを特徴とする血統情報表示システム。
（付記６）
【００７２】
血統表を端末の画面上に表示させる血統情報表示装置において、
前記端末から表示する対象の馬情報および表示する世代数の指定を受信したことに対応して、データベースから指定された馬情報を起点にその父、母を順次指定された世代数まで抽出する手段と、
前記抽出された情報をもとに、画面上に指定された対象の馬情報を起点に順次父、母の情報を指定された世代数まで表示した血統表を作成して前記端末に送信して画面上に表示させると共に、父系列あるいは母系列あるいは父母系列のアイコンを画面上に合わせて表示させる手段と、
前記アイコンのいずれかが選択された旨を前記端末から受信したときに、前記対象とする馬情報を起点に、選択されたアイコンに対応する父系列あるいは母系列あるいは父母系列の馬情報のみを強調表示あるいは表示、または他を背景色で表示させて見やすくさせる手段と
を備えたことを特徴とする血統情報表示装置。
（付記７）
【００７３】
血統表を表示する血統情報表示プログラムにおいて、
コンピュータに、
表示する対象の馬情報および表示する世代数の指定に対応して、データベースから指定された馬情報を起点にその父、母を順次指定された世代数まで抽出するステップと、
前記抽出された情報をもとに画面上に指定された対象の馬情報を起点に順次父、母の情報を指定された世代数まで表示した血統表を作成して表示すると共に、父系列あるいは母系列あるいは父母系列のアイコンを表示するステップと、
前記アイコンのいずれかが選択されたときに、前記対象とする馬情報を起点に、選択されたアイコンに対応する父系列あるいは母系列あるいは父母系列の馬情報のみを強調表示あるいは表示、または他を背景色で表示して見やすくするステップと
して動作させるための血統情報表示プログラム。
【産業上の利用可能性】
【００７４】
本発明は、血統表上に父系列、母系列、父母系列、ファミリナンバー、クロス情報のアイコンを設けて、選択されたアイコンに対応する血統表上の馬名とその情報を強調表示、馬名とその情報以外を背景として見やすくしたり、ファミリーナンバー表を作成して見やすく表示したり、クロス情報表を作成して見やすく表示することが可能となる。
【図面の簡単な説明】
【００７５】
【図１】本発明のシステム構成図である。
【図２】本発明の動作説明フローチャート（血統表表示）である。
【図３】本発明の馬情報データベース例である。
【図４】本発明の血統表例である。
【図５】本発明の血統表例（サイアーライン強調表示）である。
【図６】本発明の血統表例（サイアーラインのみ表示）である。
【図７】本発明の動作説明フローチャート（クロス情報）である。
【図８】本発明のクロス情報表例である。
【図９】本発明の馬系図表示フローチャートである。
【図１０】本発明の馬系図例である。
【図１１】本発明のファミリーナンバー表表示フローチャートである。
【図１２】本発明のファミリーナンバー表例である。
【図１３】従来の血統表である。
【符号の説明】
【００７６】
１：端末（血統情報表示装置）
１１：入力手段
１２：表示手段
１３：ディスプレイ
１４：入力装置
２：血統管理装置
２１：データ抽出手段
２２：血統表作成手段
２３：クロス情報作成手段
２４：馬系図作成手段
２５：ファミリーナンバー表作成手段
２６：馬情報データベース
【図１】
2005304308.tif 000003
【図２】
2005304308.tif 000004
【図３】
2005304308.tif 000005
【図４】
2005304308.tif 000006
【図５】
2005304308.tif 000007
【図６】
2005304308.tif 000008
【図７】
2005304308.tif 000009
【図８】
2005304308.tif 000010
【図９】
2005304308.tif 000011
【図１０】
2005304308.tif 000012
【図１１】
2005304308.tif 000013
【図１２】
2005304308.tif 000014
【図１３】
2005304308.tif 000015